(57)【要約】【課題】  音楽コンテンツのダウンロード販売を簡易かつ確実な課金方法によりながら、ダウンロード時のエラーの発生を軽減し、かつ購入前の試聴ニーズにも対応することが可能な音楽コンテンツの配信方法等を提供する。【解決手段】  ミュージックカードに付されたダウンロードマネージャ用コードと試聴用コードを携帯電話機が読み取って音楽配信サーバに送信することにより、ダウンロードマネージャと試聴用データをダウンロードすることができる。ミュージックカード内側の隠蔽部に付されたダウンロード用コードを携帯電話機で読み取って音楽配信サーバに送信することにより、楽曲データをダウンロードすることができる。音楽配信サーバは、同一の携帯電話からのダウンロード要求であれば複数回の送信を許諾し、携帯電話のメモリの空き容量を判定して不足する場合には送信を実行しない。【選択図】        図１
2005321639.tif 000002
【特許請求の範囲】
【請求項１】
音楽コンテンツを特定する認証コードが付されたミュージックカードと、前記認証コードの読み取り可能な携帯電話機と、前記携帯電話機にネットワークを通じて音楽コンテンツを配信する配信サーバとを用いた音楽コンテンツの配信方法であって、
前記携帯電話機が、前記ミュージックカードに付された認証コードを読み取るステップと、
前記携帯電話機が、前記携帯電話機の記憶領域において新たなデータの格納が可能な空き領域容量を特定するステップと、
前記携帯電話機が、前記認証コード、前記空き領域容量及び前記携帯電話機を特定する第１の端末ＩＤを前記配信サーバに送信するステップと、
前記配信サーバが、前記認証コード、前記空き領域容量及び前記第１の端末ＩＤを受信するステップと、
前記配信サーバが、前記認証コードから前記ミュージックカード毎に付された商品ＩＤを特定するステップと、
前記配信サーバが、音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定するステップと、
前記配信サーバが、前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比するステップと、
前記配信サーバが、前記マスタ情報にダウンロード履歴があると判定される場合には、前記配信サーバが受信した前記空き領域容量と前記マスタ情報に記録された前記商品ＩＤに対応する音楽コンテンツのデータ容量とを対比するステップと、を有していて、
前記第１の端末ＩＤと前記第２の端末ＩＤが一致しない場合には、前記配信サーバは、前記音楽コンテンツのダウンロード処理を実行せずに、前記携帯電話機にエラー通知を送信し、
前記空き領域容量が前記データ容量に足りないと判定される場合には、前記配信サーバは、前記音楽コンテンツのダウンロード処理を実行せずに、前記携帯電話機にエラー通知を送信すること
を特徴とする音楽コンテンツの配信方法。
【請求項２】
音楽コンテンツを特定する認証コードと前記音楽コンテンツの試聴音源を特定する試聴コードが付されたミュージックカードと、前記認証コード及び前記試聴コードの読み取り可能な携帯電話機と、前記携帯電話機にネットワークを通じて音楽コンテンツを配信する配信サーバとを用いた音楽コンテンツの配信方法であって、
前記携帯電話機が、前記ミュージックカードに付された認証コード又は試聴コードを読み取るステップと、
前記携帯電話機が、前記認証コード又は前記試聴コードと、前記携帯電話機を特定する第１の端末ＩＤを前記配信サーバに送信するステップと、
前記配信サーバが、前記認証コード又は前記試聴コードと、前記第１の端末ＩＤを受信するステップと、
前記配信サーバが、受信したコードが認証コードか試聴コードかを識別するステップと、を有していて、
受信したコードが認証コードであると識別された場合は、
前記配信サーバが、前記認証コードから前記ミュージックカード毎に付された商品ＩＤを特定するステップと、
前記配信サーバが、音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定するステップと、
前記配信サーバが、前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比するステップと、を有していて、
前記第１の端末ＩＤと前記第２の端末ＩＤが一致しない場合には、前記配信サーバは、前記音楽コンテンツのダウンロード処理を実行せずに、前記携帯電話機にエラー通知を送信することを特徴とし、
受信したコードが試聴コードであると識別された場合は、
前記配信サーバが、前記試聴コードに対応する試聴音源データを特定して前記携帯電話機に送信するステップと、を有していて、
前記試聴音源データは専用の再生用プログラムが格納された携帯電話機においてのみ再生が可能であり、
前記試聴音源データの再生指示を受付けた携帯電話機は、前記再生用プログラムを起動して前記試聴音源データを再生し、再生後に前記試聴音源データを消去又は再生不可能な形式に変更すること
を特徴とする音楽コンテンツの配信方法。
【請求項３】
前記配信サーバが、前記音楽コンテンツのダウンロード処理を実行する場合には、前記音楽コンテンツを再生するための音源データを前記携帯電話機に送信するステップと、
前記携帯電話機が、前記音源データを受信すると、前記携帯電話機の端末ＩＤを付して前記音源データを前記携帯電話機の記憶領域に格納するステップと、を有していて、
前記音源データは専用の再生用プログラムが格納された携帯電話機においてのみ再生が可能であり、
前記音源データの再生指示を受付けた携帯電話機は、前記再生用プログラムを起動して前記携帯電話機の端末ＩＤと前記音源データに付された端末ＩＤを対比し、前記携帯電話機の端末ＩＤと前記音源データに付された端末ＩＤが一致する場合に前記音源データの再生を実行すること
を特徴とする請求項１又は２記載の音楽コンテンツの配信方法。
【請求項４】
前記携帯電話機が、前記ミュージックカードに付された前記再生用プログラムをダウンロードするためのダウンロード用コードを読み取るステップと、
前記携帯電話機が、前記ダウンロード用コードを前記配信サーバに送信するステップと、
前記配信サーバが、前記ダウンロード用コードを受信するステップと、
前記配信サーバが、前記ダウンロード用コードに対応する再生用プログラムを特定して前記携帯電話機に送信するステップと、
を有することを特徴とする請求項２又は３記載の音楽コンテンツの配信方法。
【請求項５】
携帯電話機に音楽コンテンツを配信するための音楽コンテンツ配信システムであって、
ミュージックカードに付された音楽コンテンツを特定する認証コードを読み取った携帯電話機から、前記認証コード及び前記携帯電話機を特定する第１の端末ＩＤを受信する受信手段と、
前記認証コードから前記ミュージックカード毎に付された商品ＩＤを特定する特定手段と、
音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定する判定手段と、
前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比する対比手段と、
前記第１の端末ＩＤと前記第２の端末ＩＤが一致しない場合には、前記音楽コンテンツのダウンロード処理を実行せずに、前記携帯電話機にエラー通知を送信する送信手段と、
前記携帯電話機から、前記携帯電話機の記憶領域において新たなデータの格納が可能な空き領域容量を受信する受信手段と、
前記マスタ情報に記録された前記商品ＩＤに対応する音楽コンテンツのデータ容量と前記空き領域容量を対比する対比手段と、
前記空き領域容量が前記データ容量に足りないと判定される場合には、前記音楽コンテンツのダウンロード処理を実行せずに、前記携帯電話機にエラー通知を送信する送信手段と、
を備えること特徴とする音楽コンテンツ配信システム。
【請求項６】
携帯電話機に音楽コンテンツを配信するための音楽コンテンツ配信システムであって、
ミュージックカードに付された音楽コンテンツを特定する認証コード又は前記音楽コンテンツの試聴音源を特定する試聴コードを読み取った携帯電話機から、前記認証コード又は前記試聴コードと、前記携帯電話機を特定する第１の端末ＩＤを受信する受信手段と、
前記受信手段の受信したコードが、認証コードか前記試聴コードかを識別する識別手段と、
前記認証コードから前記ミュージックカード毎に付された商品ＩＤを特定する特定手段と、
音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定する判定手段と、
前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比する対比手段と、
前記第１の端末ＩＤと前記第２の端末ＩＤが一致しない場合には、前記音楽コンテンツのダウンロード処理を実行せずに、前記携帯電話機にエラー通知を送信する送信手段と、
前記試聴コードに対応する試聴音源データを特定して前記携帯電話機に送信する送信手段と、を備えていて、
前記試聴音源データは専用の再生用プログラムが格納された携帯電話機においてのみ再生が可能であり、
前記試聴音源データの再生指示を受付けた携帯電話機は、前記再生用プログラムを起動して前記試聴音源データを再生し、再生後に前記試聴音源データを消去又は再生不可能な形式に変更すること
を特徴とする音楽コンテンツ配信システム。
【請求項７】
前記携帯電話機から、前記携帯電話機の記憶領域において新たなデータの格納が可能な空き領域容量を受信する受信手段と、
前記マスタ情報に記録された前記商品ＩＤに対応する音楽コンテンツのデータ容量と前記空き領域容量を対比する対比手段と、
前記空き領域容量が前記データ容量に足りないと判定される場合には、前記音楽コンテンツのダウンロード処理を実行せずに、前記携帯電話機にエラー通知を送信する送信手段と、
を備えることを特徴とする請求項６記載の音楽コンテンツ配信システム。
【請求項８】
ミュージックカードに付された前記再生用プログラムをダウンロードするためのダウンロード用コードを読み取った携帯電話機から、前記ダウンロード用コードを受信する受信手段と、
前記ダウンロード用コードに対応する再生用プログラムを特定して前記携帯電話機に送信する送信手段と、を備えること
を特徴とする請求項６又は７記載の音楽コンテンツ配信システム。
【発明の詳細な説明】
【技術分野】
【０００１】
本発明は、音楽コンテンツを特定する認証コードが付されたミュージックカードと、前記認証コードの読み取り可能な携帯電話機と、前記携帯電話機にネットワークを通じて音楽コンテンツを配信する配信サーバとを用いた音楽コンテンツの配信方法、音楽コンテンツ配信システム及び前記携帯電話機で用いられる音楽コンテンツ再生用プログラムに関するものである。
【背景技術】
【０００２】
消費者が音楽コンテンツを購入する際には、再生可能な音楽コンテンツが記憶されたＣＤ等の記憶媒体を購入することが一般的である。一方、インターネットや携帯電話の普及に伴って、店頭に設置される専用端末の他、ＰＣ（パーソナルコンピュータ）や携帯電話機にネットワークを介して音楽コンテンツをダウンロードすることにより、音楽コンテンツを取得することも行われるようになっている。
【０００３】
音楽コンテンツのダウンロード販売は、コンテンツの提供者から見た場合にはＣＤ等の製造コストや流通コストが大幅に削減することができるメリットが、コンテンツを購入する購入者から見た場合には簡単にコンテンツを取得するメリットがある。しかしながら、店頭での商品の受け渡しを伴わないと課金の問題が発生するため、簡易かつ安全な課金方法が、ダウンロード販売普及のための課題となっている。このような課題に対応して、例えばダウンロード用のＩＤが隠蔽されたカードを利用し、カードを購入して取得したＩＤを認証キーとしてダウンロードを許諾する音楽配信システムに関する発明が開示されている（例えば、特許文献１参照。）。
【０００４】
上記の問題のほかに、音楽コンテンツを販売する際の課題となるのが、購入者が購入する音楽コンテンツを選ぶ際に、どのような音楽かを試聴したうえで購入できるようにすることである。ネットワークを介したダウンロード販売の場合には、配信サーバ側に試聴用の音源を用意してストリーミング配信することが可能であり、店頭での販売においては専用の試聴機を用いることが一般的である。
【０００５】
このうち、店頭での販売においては、一般に試聴機で試聴できるのは新曲やヒット曲のみに限られており、仮に全ての楽曲の試聴を可能にするとしても、ＣＤ等の媒体と試聴機は物理的に別のものになるため、ＣＤを選んでもその楽曲を試聴するためには別途試聴機で楽曲選択の操作を行わなければならない。選んだＣＤ等をそのまま試聴できるための方法として、ＣＤ等の収納ケースにバーコードを設け、試聴機でバーコードを読み取って楽曲を選択することができる収納ケース及びバーコードリーダーに関する考案が開示されている（例えば、特許文献２参照。）。
【０００６】
【特許文献１】特開２００３−１５６６０号公報
【特許文献２】実用新案登録第２５８９９３９号公報
【発明の開示】
【発明が解決しようとする課題】
【０００７】
前記特許文献１記載の発明によれば、購入者はダウンロードのキーとなるＩＤが隠蔽されたカードを購入する際に代金を支払うことで、簡易かつ確実な課金を実現することができる。しかしながら、この方法により音楽コンテンツを販売する場合には、以下のような課題が生じ得る。
【０００８】
まず、取扱う楽曲の数が増加すると、これに対応するＩＤも桁数が増加するため、購入者のダウンロードの際の入力操作が手間になるという問題が生じ得る。特に端末に携帯電話機を用いる場合は、操作に慣れない者にとっては面倒になることが考えられる。
【０００９】
次に、特に携帯電話を用いてダウンロードを行う場合、ダウンロード中に通信エラー等が発生して音楽コンテンツを取得できないケースが発生する。このような課題に対して、前記特許文献１記載の発明では、ダウンロード要求の受付時に携帯電話機を識別するＩＤを記録することにより、同一の携帯電話機からであれば複数回のダウンロードを可能とすることで解決しているが（前記特許文献１、段落番号００２０〜００２３）、このような方法に加えて、そもそもダウンロードのエラーを減少させることが可能な他の方法と効果的に組み合わせることが好ましい。
【００１０】
さらに、前記特許文献１記載のＩＤ付きカードを用いる場合、購入者はカードの購入時には楽曲の試聴を行うことができない。試聴を可能にするためには、例えば前記実用新案文献１記載のバーコードを収納ケースに付す方式が考えられるが、この方式を実現するためには前記実用新案文献１記載のような専用のバーコードリーダーを備えた試聴機が必要となり、ＩＤ付きカードを販売する販売店に設置しなければならない。
【００１１】
本発明は、このような課題に対応するためになされたものであり、音楽コンテンツのダウンロード販売を簡易かつ確実な課金方法によりながら、ダウンロード時のエラーの発生を軽減し、かつ購入前の試聴ニーズにも対応することが可能な、音楽コンテンツを特定する認証コードが付されたミュージックカードと、前記認証コードの読み取り可能な携帯電話機と、前記携帯電話機にネットワークを通じて音楽コンテンツを配信する配信サーバとを用いた音楽コンテンツの配信方法、音楽コンテンツ配信システム及び前記携帯電話機で用いられる音楽コンテンツ再生用プログラムを提供することを目的とするものである。
【課題を解決するための手段】
【００１２】
上記の課題を解決する第１の発明は、音楽コンテンツを特定する認証コードが付されたミュージックカードと、前記認証コードの読み取り可能な携帯電話機と、前記携帯電話機にネットワークを通じて音楽コンテンツを配信する配信サーバとを用いた音楽コンテンツの配信方法であって、前記携帯電話機が、前記ミュージックカードに付された認証コードを読み取るステップと、前記携帯電話機が、前記携帯電話機の記憶領域において新たなデータの格納が可能な空き領域容量を特定するステップと、前記携帯電話機が、前記認証コード、前記空き領域容量及び前記携帯電話機を特定する第１の端末ＩＤを前記配信サーバに送信するステップと、前記配信サーバが、前記認証コード、前記空き領域容量及び前記第１の端末ＩＤを受信するステップと、前記配信サーバが、前記認証コードから前記ミュージックカード毎に付された商品ＩＤを特定するステップと、前記配信サーバが、音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定するステップと、前記配信サーバが、前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比するステップと、前記配信サーバが、前記マスタ情報にダウンロード履歴があると判定される場合には、前記配信サーバが受信した前記空き領域容量と前記マスタ情報に記録された前記商品ＩＤに対応する音楽コンテンツのデータ容量とを対比するステップと、を有していて、前記第１の端末ＩＤと前記第２の端末ＩＤが一致しない場合には、前記配信サーバは、前記音楽コンテンツのダウンロード処理を実行せずに、前記携帯電話機にエラー通知を送信し、前記空き領域容量が前記データ容量に足りないと判定される場合には、前記配信サーバは、前記音楽コンテンツのダウンロード処理を実行せずに、前記携帯電話機にエラー通知を送信することを特徴とする音楽コンテンツの配信方法である。
【００１３】
第１の発明において、ミュージックカードとは音楽コンテンツをダウンロードするための認証コードが付された媒体であれば、素材や形状は特に制限されるものではなく、購入者が音楽コンテンツを特定できるようにタイトルやアーティスト名等が表示されたものが用いられる。認証コードは、携帯電話機により読み取り可能なものであればどのようなものを用いてもよいが、省スペースで多くのデータ量に対応できる二次元コードを用いることが好ましい。店舗等に陳列された状態で読み取り可能であると、購入せずにダウンロードされてしまう恐れがあるので、認証コードは購入しないと読み取れない媒体の内面に付されることが好ましい。携帯電話機には、二次元コード等の読み取り機能を備えたカメラ付き携帯電話機を用いればよい。端末ＩＤには、携帯電話機を１台ずつ識別できるように、携帯電話機１台毎に付されたＩＤが用いられる。
【００１４】
第１の発明においては、音楽コンテンツの購入者は認証コードが付されたミュージックカードを購入し、カメラ付き携帯電話機でこの認証コードを読み取ることにより、特段のＩＤ番号等の入力操作を伴うことなく、簡単な操作で音楽コンテンツをダウンロードすることができる。ダウンロード要求時には、携帯電話機からメモリ残量を送信して音楽コンテンツのファイルサイズと対比するため、メモリ残量が不足する場合には配信を停止し、メモリ残量不足によるエラーを予め防止して、ダウンロード時に発生するエラーを減少させることができる。
【００１５】
上記の課題を解決する第２の発明は、音楽コンテンツを特定する認証コードと前記音楽コンテンツの試聴音源を特定する試聴コードが付されたミュージックカードと、前記認証コード及び前記試聴コードの読み取り可能な携帯電話機と、前記携帯電話機にネットワークを通じて音楽コンテンツを配信する配信サーバとを用いた音楽コンテンツの配信方法であって、前記携帯電話機が、前記ミュージックカードに付された認証コード又は試聴コードを読み取るステップと、前記携帯電話機が、前記認証コード又は前記試聴コードと、前記携帯電話機を特定する第１の端末ＩＤを前記配信サーバに送信するステップと、前記配信サーバが、前記認証コード又は前記試聴コードと、前記第１の端末ＩＤを受信するステップと、前記配信サーバが、受信したコードが認証コードか試聴コードかを識別するステップと、を有していて、受信したコードが認証コードであると識別された場合は、前記配信サーバが、前記認証コードから前記ミュージックカード毎に付された商品ＩＤを特定するステップと、前記配信サーバが、音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定するステップと、前記配信サーバが、前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比するステップと、を有していて、前記第１の端末ＩＤと前記第２の端末ＩＤが一致しない場合には、前記配信サーバは、前記音楽コンテンツのダウンロード処理を実行せずに、前記携帯電話機にエラー通知を送信することを特徴とし、受信したコードが試聴コードであると識別された場合は、前記配信サーバが、前記試聴コードに対応する試聴音源データを特定して前記携帯電話機に送信するステップと、を有していて、前記試聴音源データは専用の再生用プログラムが格納された携帯電話機においてのみ再生が可能であり、前記試聴音源データの再生指示を受付けた携帯電話機は、前記再生用プログラムを起動して前記試聴音源データを再生し、再生後に前記試聴音源データを消去又は再生不可能な形式に変更することを特徴とする音楽コンテンツの配信方法である。
【００１６】
第２の発明においても、ミュージックカードは第１の発明と同様に、素材や形状について特に制限されるものではない。試聴コードについても、携帯電話機により読み取り可能なものであればどのようなものを用いてもよく、購入前にも試聴ができるように認証コードと異なり店舗等での陳列時にも読み取り可能な位置に付されることが好ましい。携帯電話機には、二次元コード等の読み取り機能を備えたカメラ付き携帯電話機を用いればよいことも、第１の発明と同様である。試聴音源データには、通常は音楽コンテンツの頭出しから数十秒間などを切り出した楽曲データの一部が用いられる。端末ＩＤには、携帯電話機１台毎に付されたＩＤが用いられることも、第１の発明と同様である。
【００１７】
第２の発明においては、音楽コンテンツの購入者は認証コードが付されたミュージックカードを購入し、カメラ付き携帯電話機でこの認証コードを読み取ることにより、特段のＩＤ番号等の入力操作を伴うことなく、簡単な操作で音楽コンテンツをダウンロードすることができることは、第１の発明と同様である。さらに、ミュージックカードには試聴用のコードも付されているため、このコードを読み取って配信サーバに要求することにより、購入しようとする音楽コンテンツの試聴を簡単に行なうことが可能になる。試聴用の音源は、携帯電話機で再生されるとそのまま消去等されて以後は再生不能となる。
【００１８】
また、第１の発明及び第２の発明は、前記配信サーバが、前記音楽コンテンツのダウンロード処理を実行する場合には、前記音楽コンテンツを再生するための音源データを前記携帯電話機に送信するステップと、前記携帯電話機が、前記音源データを受信すると、前記携帯電話機の端末ＩＤを付して前記音源データを前記携帯電話機の記憶領域に格納するステップと、を有していて、前記音源データは専用の再生用プログラムが格納された携帯電話機においてのみ再生が可能であり、前記音源データの再生指示を受付けた携帯電話機は、前記再生用プログラムを起動して前記携帯電話機の端末ＩＤと前記音源データに付された端末ＩＤを対比し、前記携帯電話機の端末ＩＤと前記音源データに付された端末ＩＤが一致する場合に前記音源データの再生を実行することを特徴とすることもできる。
【００１９】
第１の発明及び第２の発明により、同一の携帯電話機を用いれば同じ音楽コンテンツを複数回でもダウンロードできるため、通信エラー等の発生にも対応することができる。しかしながら、ダウンロードした楽曲を違法にコピーすることを防止することはできないが、この方法によると、音楽コンテンツをダウンロードした携帯電話機の側で端末ＩＤを管理することにより、ダウンロードした携帯電話機においてのみ再生することが可能になり、違法コピーを防止することができる。
【００２０】
さらに、第１の発明及び第２の発明は、前記携帯電話機が、前記ミュージックカードに付された前記再生用プログラムをダウンロードするためのダウンロード用コードを読み取るステップと、前記携帯電話機が、前記ダウンロード用コードを前記配信サーバに送信するステップと、前記配信サーバが、前記ダウンロード用コードを受信するステップと、前記配信サーバが、前記ダウンロード用コードに対応する再生用プログラムを特定して前記携帯電話機に送信するステップと、を有することを特徴とすることもできる。
【００２１】
第１の発明及び第２の発明においては、携帯電話機において専用の再生用プログラムや、携帯電話機の記憶領域の空き容量を読み取るためのプログラムを必要とする場合が生じ得る。この方法によると、かかる専用プログラムのダウンロードについても、携帯電話機でコードを読み取るだけの簡単な操作で実行することができる。
【００２２】
さらに、第１の発明及び第２の発明は、第１の発明又は第２の発明にかかる音楽コンテンツの配信方法のそれぞれの態様に対応する、音楽コンテンツの配信方法を実行するための音楽コンテンツ配信システムとして構成することもできる。
【００２３】
つまり、第１の発明にかかる音楽コンテンツの配信方法に対応する音楽コンテンツ配信システムは、携帯電話機に音楽コンテンツを配信するための音楽コンテンツ配信システムであって、ミュージックカードに付された音楽コンテンツを特定する認証コードを読み取った携帯電話機から、前記認証コード及び前記携帯電話機を特定する第１の端末ＩＤを受信する受信手段と、前記認証コードから前記ミュージックカード毎に付された商品ＩＤを特定する特定手段と、音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定する判定手段と、前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比する対比手段と、前記第１の端末ＩＤと前記第２の端末ＩＤが一致しない場合には、前記音楽コンテンツのダウンロード処理を実行せずに、前記携帯電話機にエラー通知を送信する送信手段と、前記携帯電話機から、前記携帯電話機の記憶領域において新たなデータの格納が可能な空き領域容量を受信する受信手段と、前記マスタ情報に記録された前記商品ＩＤに対応する音楽コンテンツのデータ容量と前記空き領域容量を対比する対比手段と、前記空き領域容量が前記データ容量に足りないと判定される場合には、前記音楽コンテンツのダウンロード処理を実行せずに、前記携帯電話機にエラー通知を送信する送信手段と、を備えること特徴とする音楽コンテンツ配信システムである。
【００２４】
第２の発明にかかる音楽コンテンツの配信方法に対応する音楽コンテンツ配信システムは、携帯電話機に音楽コンテンツを配信するための音楽コンテンツ配信システムであって、ミュージックカードに付された音楽コンテンツを特定する認証コード又は前記音楽コンテンツの試聴音源を特定する試聴コードを読み取った携帯電話機から、前記認証コード又は前記試聴コードと、前記携帯電話機を特定する第１の端末ＩＤを受信する受信手段と、前記受信手段の受信したコードが、認証コードか前記試聴コードかを識別する識別手段と、前記認証コードから前記ミュージックカード毎に付された商品ＩＤを特定する特定手段と、音楽コンテンツを格納するコンテンツデータベースの前記商品ＩＤ毎に設けられたマスタ情報を参照して、前記商品ＩＤに対応するマスタ情報に前記認証コードにより特定される音楽コンテンツのダウンロード履歴があるかを判定する判定手段と、前記マスタ情報にダウンロード履歴があると判定される場合には、前記配信サーバが受信した第１の端末ＩＤと前記マスタ情報に記録された前記商品ＩＤにかかる音楽コンテンツをダウンロードした携帯電話機を特定する第２の端末ＩＤを対比する対比手段と、前記第１の端末ＩＤと前記第２の端末ＩＤが一致しない場合には、前記音楽コンテンツのダウンロード処理を実行せずに、前記携帯電話機にエラー通知を送信する送信手段と、前記試聴コードに対応する試聴音源データを特定して前記携帯電話機に送信する送信手段と、を備えていて、前記試聴音源データは専用の再生用プログラムが格納された携帯電話機においてのみ再生が可能であり、前記試聴音源データの再生指示を受付けた携帯電話機は、前記再生用プログラムを起動して前記試聴音源データを再生し、再生後に前記試聴音源データを消去又は再生不可能な形式に変更することを特徴とする音楽コンテンツ配信システムである。
【００２５】
また、第２の発明にかかる音楽コンテンツの配信方法に対応する音楽コンテンツ配信システムは、第１の発明にかかる音楽コンテンツの配信方法に対応する音楽コンテンツ配信システムの特徴を備えることとしてもよい。つまり、第２の発明にかかる音楽コンテンツの配信方法に対応する音楽コンテンツ配信システムは、前記携帯電話機から、前記携帯電話機の記憶領域において新たなデータの格納が可能な空き領域容量を受信する受信手段と、前記マスタ情報に記録された前記商品ＩＤに対応する音楽コンテンツのデータ容量と前記空き領域容量を対比する対比手段と、前記空き領域容量が前記データ容量に足りないと判定される場合には、前記音楽コンテンツのダウンロード処理を実行せずに、前記携帯電話機にエラー通知を送信する送信手段と、を備えることを特徴とすることもできる。尚、この構成については、第１の発明にかかる音楽コンテンツの配信方法に対応する音楽コンテンツ配信システムが、第２の発明にかかる音楽コンテンツの配信方法に対応する音楽コンテンツ配信システムの特徴を備えることとしてもよい。
【００２６】
さらに、第１の発明及び第２の発明にかかる音楽コンテンツの配信方法に対応する音楽コンテンツ配信システムは、ミュージックカードに付された前記再生用プログラムをダウンロードするためのダウンロード用コードを読み取った携帯電話機から、前記ダウンロード用コードを受信する受信手段と、前記ダウンロード用コードに対応する再生用プログラムを特定して前記携帯電話機に送信する送信手段と、を備えることを特徴としてもよい。
【発明の効果】
【００２７】
この発明により、ネットワークを介した音楽コンテンツのダウンロード販売において、簡易かつ確実な課金方法を採用しながら、ダウンロード時に発生するエラーを軽減するとともに、購入前にも簡単な操作で購入したい音楽コンテンツの試聴を行うことが可能になる。また、違法コピーへの対応も施されるとともに、これらの動作に必要な携帯電話機用のプログラムも、簡単な操作で取得することが可能になる。
【発明を実施するための最良の形態】
【００２８】
本発明を実施するための最良の形態について、図面を用いて以下に詳細に説明する。尚、以下の説明は本発明の実施形態の一例であって、本発明は以下に説明する態様に限定されるものではない。
【００２９】
図１は、本発明にかかる音楽コンテンツ配信システムの構成を示すブロック図である。図２は、本発明にかかる音楽コンテンツ配信システムにおいて用いられるミュージックカードの構成を示す図である。図３は、本発明にかかる音楽コンテンツ配信システムにおいて用いられるミュージックカードの表面及び裏面の一例を示す図である。図４は、本発明にかかる音楽コンテンツ配信システムにおいて用いられるミュージックカードの内側の隠蔽面の一例を示す図である。図５は、本発明にかかる音楽コンテンツ配信システムの楽曲データベースに格納されている楽曲マスタの一例を示す図である。図６は、本発明にかかる音楽コンテンツ配信システムの楽曲データベースに格納されている商品マスタの一例を示す図である。図７は、本発明にかかる音楽コンテンツの配信方法において、携帯電話機からダウンロードマネージャの送信要求を送信するフローを示すフローチャートである。図８は、本発明にかかる音楽コンテンツの配信方法において、携帯電話機からダウンロードマネージャの送信要求を受け付けた配信サーバが、ダウンロードマネージャを送信するフローを示すフローチャートである。図９は、本発明にかかる音楽コンテンツの配信方法において、携帯電話機から音楽コンテンツの試聴要求を送信するフローを示すフローチャートである。図１０は、本発明にかかる音楽コンテンツの配信方法において、携帯電話機から音楽コンテンツの試聴要求を受け付けた配信サーバが、試聴用の楽曲データを送信するフローを示すフローチャートである。図１１は、本発明にかかる音楽コンテンツの配信方法において、携帯電話機から音楽コンテンツのダウンロード要求を送信するフローを示すフローチャートである。図１２は、本発明にかかる音楽コンテンツの配信方法において、携帯電話機から音楽コンテンツのダウンロード要求を受け付けた配信サーバが、ダウンロード用の楽曲データを送信するフローを示すフローチャートである。図１３は、本発明にかかる音楽コンテンツの配信方法において、配信サーバからダウンロード用の楽曲データを受信した携帯電話機が楽曲データを保存するフローを示すフローチャートである。図１４は、本発明にかかる音楽コンテンツの配信方法において、携帯電話機に保存された楽曲データを再生するフローを示すフローチャートである。
【００３０】
図１において、本発明にかかる音楽コンテンツ配信システム１０は、携帯電話３０でミュージックカード４０から読み取ったコード等に関するデータを、通信キャリアシステム２０を介して受信する。音楽コンテンツ配信システム１０に含まれる音楽配信サーバ１１は、楽曲データベース１２から該当する楽曲データを取得して、通信キャリアシステム２０を介して携帯電話３０に配信する。
【００３１】
本発明において用いられるミュージックカード４０は図２のように構成されており、二つ折りにされた裏面にダウンロードマネージャ用コードと試聴用コードが、内側の隠蔽面にはダウンロード用コードが付されている。尚、ミュージックカード４０の構造は、ダウンロードマネージャ用コードと試聴用コードがミュージックカードを店舗等に陳列された状態で読み取れる位置に配置し、ダウンロード用コードは店舗等に陳列された状態で読み取れない位置に配置されていればよく、例えばダウンロードマネージャ用コードと試聴用コードは表面に配置されてもよいし、表面と裏面に別々に配置されてもよい。ダウンロード用コードについては、ダウンロードできる楽曲単位で１コードを用いてもよいし、全ての楽曲を対象に１コードを用いることとしてもよい。このように、ミュージックカードの形状やコードの配置は図２の例に限定されるものではないが、図２のように構成することで、本発明において用いることができる。
【００３２】
また、ダウンロードマネージャ用コード、試聴用コード及びダウンロード用コードとして用いられるコードは、一次元のバーコードであってもよいし、二次元コードであってもよい。但し、後に説明する通りダウンロード用コードは１商品単位で設けられるので、対応できるパターンの数が多い二次元コードを用いることが好ましい。また、各々に用いられるコードの種類が異なるものであってもよいが、コードの読み取りに必要な機能を最小限に抑えることを考慮すると、同一体系のコードを用いることが好ましい。
【００３３】
図３は、ミュージックカード４０の表面及び裏面の一例を示している。ミュージックカード４０はＣＤに代わる流通媒体として、表面にはＣＤ等で用いられるジャケットやタイトル、アーティスト名等を表示し、裏面に対応機種等の詳細情報を記載し、ダウンロードマネージャ用コードと試聴用コードを配置することが考えられる。店舗等でミュージックカード４０を見て試聴したいと思った利用者は、ダウンロードマネージャ用コードを読み取って携帯電話機に本発明において携帯電話機側に必要な機能を備えたダウンロードマネージャをダウンロードし、続いて試聴用コードを読み取って試聴用音源データをダウンロードし、携帯電話機のダウンロードマネージャを起動して再生することにより、特別な試聴専用機を用いなくても手軽に試聴を行うことが可能になる。
【００３４】
図４は、本発明にかかる音楽コンテンツ配信システムにおいて用いられるミュージックカードの内側の隠蔽面の一例を示す図である。隠蔽面は、店舗等で購入して初めてダウンロード用コードが読み取れるように構成されるものであれば図４の構成に限られるものではなく、店舗等でミュージックカードを購入することにより簡易かつ確実に課金を行なった後に、試聴用ではないフル音源のダウンロードが可能になる。ダウンロード用コードの配置については、ダウンロードできる楽曲単位で１コードを用いてもよいし、全ての楽曲を対象に１コードを用いることとしてもよいのは、先に説明した通りである。
【００３５】
続いて、図７乃至図１４のフローチャートを用いて、本発明にかかる音楽コンテンツの配信方法のフローについて、順を追って説明する。フローの説明においては、図１から図６の構成例を適宜参照する。
【００３６】
初めに、図７及び図８を用いて、携帯電話機からダウンロードマネージャの送信要求を送信し、送信要求を受け付けた配信サーバがダウンロードマネージャを送信するフローについて説明する。まず、図７に示したように、音楽コンテンツを購入しようと店舗等に来店した利用者は、興味を持ったミュージックカード４０が見つかって試聴したいと考えると、ミュージックカード４０の裏面に付されたダウンロードマネージャ用コードを携帯電話３０のカメラで読み取って（Ｓ０１）、読み取ったコードには所定のＵＲＬが指定されていて、指定されたＵＲＬの音楽配信サーバ１１に向けて読み取ったコードと携帯電話３０を特定する端末ＩＤを送信する（Ｓ０２）。
【００３７】
続いて図８に示したように、送信された端末ＩＤとダウンロード要求のためのコードは、インターネットを介して音楽配信サーバ１１が受信する（Ｓ０３）。受信したデータが携帯電話からのものか否かを端末ＩＤから判定し（Ｓ０４）、携帯電話からの要求でない場合には送信された端末にエラー表示の指示を送信する（Ｓ０８）。携帯電話からの要求である場合は端末ＩＤから携帯電話の機種を特定し（Ｓ０５）、当該ダウンロードマネージャの対応機種であるか否かを確認する（Ｓ０６）。対応機種からの要求でない場合には送信された端末にエラー表示の指示を送信し（Ｓ０８）、対応機種からの要求である場合は、ダウンロードマネージャを携帯電話３０に送信する（Ｓ０７）。これを受信した携帯電話３０には、専用のダウンロードマネージャがインストールされる。
【００３８】
次に、図９及び図１０を用いて、携帯電話機から音楽コンテンツの試聴要求を送信し、音楽コンテンツの試聴要求を受け付けた配信サーバが試聴用の楽曲データを送信するフローについて説明する。まず、図９に示したように、店舗等で興味を持つミュージックカード４０が見つかった利用者は、先に説明した手順で携帯電話にインストールされた専用のダウンロードマネージャを起動し、（Ｓ１１）、試聴をしてみたいミュージックカード４０の裏面に付された試聴用コードを携帯電話３０のカメラで読み取って（Ｓ１２）、読み取ったコードにダウンロードマネージャの識別子を付して指定されたＵＲＬの音楽配信サーバ１１に送信する（Ｓ１３）。かかるデータを送信する送信先は、ダウンロードマネージャに設定されていてもよいし、読み取ったコードの中にＵＲＬやファイルパスが指定されていてもよい。
【００３９】
続いて、図１０に示したように、送信された試聴要求のためのコードは、インターネットを介して音楽配信サーバ１１が受信する（Ｓ１４）。受信したコードが試聴用のものであるか否かを確認し（Ｓ１５）、試聴用でない場合は楽曲データのダウンロード処理を進める。試聴用の場合は、ダウンロードマネージャの識別子が付されているか否かを判定し（Ｓ１６）、識別子が付されていない場合は試聴用音源データを送信しても再生が不可能であると判断して、端末にエラー表示の指示を送信する（Ｓ２２）。
【００４０】
識別子が付されている場合は試聴用音源データの再生が可能であると判断して、試聴用コードにより試聴が要求された楽曲ＩＤを特定する（Ｓ１７）。特定された楽曲ＩＤについて楽曲データベースの１２の楽曲マスタテーブル１２２を検索して（Ｓ１８）、該当する楽曲ＩＤに対応する楽曲マスタが楽曲データベース１２にあるか否かを確認する（Ｓ１９）。楽曲ＩＤに対応する楽曲マスタがない場合は、試聴用音源データを送信することができないので、端末にエラー表示の指示を送信する（Ｓ２２）。
【００４１】
楽曲ＩＤに対応する楽曲マスタがある場合は、楽曲ＩＤに対応する楽曲マスタに試聴回数等を記録する（Ｓ２０）。また、楽曲ＩＤに対応する試聴用音源データを楽曲データファイル１２３から取得して、携帯電話３０に試聴用音源データを携帯電話３０には保存されない形式でストリーミング配信する（Ｓ２１）。尚、配信された試聴用音源データは、携帯電話３０でダウンロードしたダウンロードマネージャにより、再生された後に削除することとしてもよいし、再生された後に再生不可能な形式に変更することとしてもよい。
【００４２】
図５は、楽曲データベース１２の楽曲マスタファイル１２２を構成する楽曲マスタの一例を示している。楽曲マスタは、楽曲単位で楽曲を特定するＩＤが付されたレコードが設けられ、タイトル、アーティスト名の他に、当該楽曲にかかる試聴用音源データのファイルサイズやファイルの格納位置を示すファイルパスが記録されている。試聴のためのアクセス件数やログを記録すると、マーケッティングデータとして活用することもできる。
【００４３】
続いて、図１１乃至図１３を用いて、携帯電話機から音楽コンテンツのダウンロード要求を送信し、音楽コンテンツのダウンロード要求を受け付けた音楽配信サーバがダウンロード用の楽曲データを送信し、音楽配信サーバからダウンロード用の楽曲データを受信した携帯電話機が楽曲データを保存するするフローについて説明する。まず、図１１に示したように、店舗等でミュージックカード４０を購入した利用者は、携帯電話にインストールされた専用のダウンロードマネージャを起動し、（Ｓ３１）、ミュージックカード４０のミュージックカードの包装を開封して、内側の隠蔽面に付されたダウンロード用コードを携帯電話３０のカメラで読み取る（Ｓ３２）。また、携帯電話３０においてダウンロードしたデータを記憶させることが可能なメモリの空き容量を携帯電話３０内より取得し（Ｓ３３）、読み取ったコードと取得したメモリの空き容量にダウンロードマネージャの識別子を付して指定されたＵＲＬの音楽配信サーバ１１に送信する（Ｓ３４）。かかるデータを送信する送信先は、ダウンロードマネージャに設定されていてもよいし、読み取ったコードの中にＵＲＬやファイルパスが指定されていてもよい。
【００４４】
続いて図１２に示したように、送信されたダウンロード要求のためのコードと携帯電話３０の空き容量は、インターネットを介して音楽配信サーバ１１が受信する（Ｓ３５）。受信したコードがダウンロード用のものであるか否かを確認し（Ｓ３６）、ダウンロード用でない場合は試聴用音源データの送信処理を進める。ダウンロード用の場合は、ダウンロードマネージャの識別子が付されているか否かを判定し（Ｓ３７）、識別子が付されていない場合はダウンロード用の楽曲データを送信しても再生が不可能であると判断して、端末にエラー表示の指示を送信する（Ｓ４２）。
【００４５】
識別子が付されている場合はダウンロード用の楽曲データの再生が可能であると判断して、ダウンロード用コードによりダウンロードが要求された商品ＩＤを特定する（Ｓ３８）。商品ＩＤは楽曲単位で付されるのではなく、利用者に販売されるミュージックカード４０について１件ごとに付されていて、商品ＩＤによって購入されたミュージックカードを１枚ずつ管理することができる。特定された商品ＩＤについて楽曲データベースの１２の商品マスタテーブル１２１を検索して（Ｓ３９）、該当する商品ＩＤに対応する商品マスタが楽曲データベース１２にあるか否かを確認する（Ｓ４０）。商品ＩＤに対応する商品マスタがない場合は、ダウンロード用の楽曲データを送信することができないので、端末にエラー表示の指示を送信する（Ｓ４２）。
【００４６】
商品ＩＤに対応する商品マスタがある場合は、商品ＩＤに対応する商品マスタに過去のダウンロード記録があるか否かを確認する（Ｓ４３）。ダウンロード記録がある場合は、商品ＩＤに対応する商品マスタに記録されたダウンロードを要求した携帯電話の一台毎に付された端末ＩＤを確認し（Ｓ４４）、受信した端末ＩＤが当該商品マスタに記録された過去にダウンロードを行った携帯電話の端末ＩＤと一致するかを確認する（Ｓ４５）。一致しない場合には、ミュージックカード４０の当初の購入者以外からの不正なアクセスである可能性があるので、端末にエラー表示の指示を送信する（Ｓ４２）。
【００４７】
端末ＩＤが一致する場合は、同一の携帯電話３０からのアクセスであって、ミュージックカード４０の購入者が操作していると判断できるため、ダウンロードのための次のステップに進む。次に、商品ＩＤに対応する商品マスタに記録されたダウンロード用の楽曲データのファイルサイズを確認し（Ｓ４６）、受信した携帯電話３０の空き容量が当該商品マスタに記録されたファイルサイズ以上であるかを確認する（Ｓ４７）。ファイルサイズが空き容量より大きい場合には、ダウンロード用の楽曲データを送信しても携帯電話３０に記憶することができないので、ダウンロード用の楽曲データを送信せずに端末にエラー表示の指示を送信する（Ｓ４２）。ファイルサイズが空き容量より小さい場合には、商品ＩＤに対応する商品マスタにダウンロード回数を記録し（Ｓ４８）、ダウンロード用の楽曲データを携帯電話３０に送信する（Ｓ４９）。
【００４８】
ダウンロード記録があるか否かを確認するステップ（Ｓ４３）において、ダウンロード記録がない場合は、ミュージックカード４０が購入されて初回のダウンロードであると判断され、そのままダウンロードの処理を進める。商品ＩＤに対応する商品マスタに記録されたダウンロード用の楽曲データのファイルサイズを確認し（Ｓ５０）、受信した携帯電話３０の空き容量が当該商品マスタに記録されたファイルサイズ以上であるかを確認する（Ｓ５１）。ファイルサイズが空き容量より大きい場合には、ダウンロード用の楽曲データを送信せずに端末にエラー表示の指示を送信する（Ｓ４２）。ファイルサイズが空き容量より小さい場合には、商品ＩＤに対応する商品マスタに受信した端末ＩＤとダウンロード回数が１回であることを記録し（Ｓ５２）、ダウンロード用の楽曲データを携帯電話３０に送信する（Ｓ４９）。
【００４９】
続いて図１３に示したように、携帯電話３０は音楽配信サーバ１１よりダウンロード用の楽曲データを受信する（Ｓ５４）。受信した楽曲データには携帯電話３０の端末ＩＤがデータのヘッダーとして付与されて（Ｓ５５）、端末ＩＤのヘッダーが付された楽曲データを携帯電話３０の記憶領域に保存する。このような携帯電話３０の一連の動作は、先にダウンロードしたダウンロードマネージャにより実行される。
【００５０】
図６は、楽曲データベース１２の商品マスタファイル１２１を構成する商品マスタの一例を示している。商品マスタは、販売される商品であるミュージックカード１枚単位で商品を特定するＩＤが付されたレコードが設けられ、タイトル、アーティスト名の他に、当該楽曲にかかるダウンロード用楽曲データのファイルサイズや、ファイルの格納位置を示すファイルパスが記録されている。また、対応する楽曲データがダウンロードされると、アクセスのあった携帯電話から送信された当該携帯電話を特定する端末ＩＤが記録され、２回目以降のダウンロード要求を受け付けたときは、当該端末ＩＤとアクセスのあった携帯電話の端末ＩＤが一致した場合のみダウンロードが実行される。
【００５１】
図６の例に示した商品マスタは、購入されたミュージックカードを１枚単位で管理することが必要なため、同一の楽曲であってもミュージックカードを販売した数だけ設けられることになる。これに対して、ダウンロード用の楽曲データのファイルは同一の楽曲については同一のファイルを送信すればよいので、少なくとも１件あれば足りることになる。
【００５２】
最後に、図１４を用いて、携帯電話機に保存された楽曲データを再生するフローについて説明する。利用者がダウンロードした楽曲を再生したい場合、携帯電話３０でダウンロードマネージャを起動する（Ｓ６１）。ダウンロードマネージャは携帯電話３０の記憶領域に格納されている楽曲の一覧をディスプレイに表示させ（Ｓ６２）、特定の楽曲データが選択されたことを受け付ける（Ｓ６３）。
【００５３】
携帯電話３０は、選択された楽曲の楽曲データを記憶領域から読み出して、楽曲データのヘッダーから楽曲データに付された端末ＩＤを取得する（Ｓ６４）。ここで、取得した端末ＩＤと利用者が操作する携帯電話３０の端末ＩＤを対比し（Ｓ６５）、端末ＩＤが一致しない場合は、当該楽曲データは他の端末でダウンロードしたものをコピーしたものであると判断して、携帯電話３０のディスプレイにエラー表示を行う（Ｓ６８）。端末ＩＤが一致する場合は、正規の利用者による操作であると判断して、読み出した楽曲データを再生する。このように、端末ＩＤが一致した場合のみ再生を許可することにより、ダウンロードした楽曲データを違法コピーして利用されることを防止することができる。
【図面の簡単な説明】
【００５４】
【図１】本発明にかかる音楽コンテンツ配信システムの構成を示すブロック図である。
【図２】本発明にかかる音楽コンテンツ配信システムにおいて用いられるミュージックカードの構成を示す図である。
【図３】本発明にかかる音楽コンテンツ配信システムにおいて用いられるミュージックカードの表面及び裏面の一例を示す図である。
【図４】本発明にかかる音楽コンテンツ配信システムにおいて用いられるミュージックカードの内側の隠蔽面の一例を示す図である。
【図５】本発明にかかる音楽コンテンツ配信システムの楽曲データベースに格納されている楽曲マスタの一例を示す図である。
【図６】本発明にかかる音楽コンテンツ配信システムの楽曲データベースに格納されている商品マスタの一例を示す図である。
【図７】本発明にかかる音楽コンテンツの配信方法において、携帯電話機からダウンロードマネージャの送信要求を送信するフローを示すフローチャートである。
【図８】本発明にかかる音楽コンテンツの配信方法において、携帯電話機からダウンロードマネージャの送信要求を受け付けた配信サーバが、ダウンロードマネージャを送信するフローを示すフローチャートである。
【図９】本発明にかかる音楽コンテンツの配信方法において、携帯電話機から音楽コンテンツの試聴要求を送信するフローを示すフローチャートである。
【図１０】本発明にかかる音楽コンテンツの配信方法において、携帯電話機から音楽コンテンツの試聴要求を受け付けた配信サーバが、試聴用の楽曲データを送信するフローを示すフローチャートである。
【図１１】本発明にかかる音楽コンテンツの配信方法において、携帯電話機から音楽コンテンツのダウンロード要求を送信するフローを示すフローチャートである。
【図１２】本発明にかかる音楽コンテンツの配信方法において、携帯電話機から音楽コンテンツのダウンロード要求を受け付けた配信サーバが、ダウンロード用の楽曲データを送信するフローを示すフローチャートである。
【図１３】本発明にかかる音楽コンテンツの配信方法において、配信サーバからダウンロード用の楽曲データを受信した携帯電話機が楽曲データを保存するフローを示すフローチャートである。
【図１４】本発明にかかる音楽コンテンツの配信方法において、携帯電話機に保存された楽曲データを再生するフローを示すフローチャートである。
【符号の説明】
【００５５】
１０    音楽コンテンツ配信システム
１１    音楽配信サーバ
１１１  ダウンロードマネージャ
１２    楽曲データベース
１２１  商品マスタテーブル
１２２  楽曲マスタテーブル
１２３  楽曲データファイル
２０    通信キャリアシステム
３０    携帯電話
４０    ミュージックカード
４１    ダウンロードマネージャ用コード
４２    試聴用コード
４３    ダウンロード用コード
【図１】
2005321639.tif 000003
【図２】
2005321639.tif 000004
【図３】
2005321639.tif 000005
【図４】
2005321639.tif 000006
【図５】
2005321639.tif 000007
【図６】
2005321639.tif 000008
【図７】
2005321639.tif 000009
【図８】
2005321639.tif 000010
【図９】
2005321639.tif 000011
【図１０】
2005321639.tif 000012
【図１１】
2005321639.tif 000013
【図１２】
2005321639.tif 000014
【図１３】
2005321639.tif 000015
【図１４】
2005321639.tif 000016